(57)【特許請求の範囲】
【請求項１】
携帯無線端末装置本体組立体が、リアケース組立体とフロントケース組立体とが組合わされたケース組立体の内部に組込まれた構成の携帯無線端末装置において、
上記フロントケース組立体は、フロントケース本体を有し、
該フロントケース本体は、
通常の合成樹脂製のフロントケース部材と、
該フロントケース部材の側面上のエラストマ質製の周面に露出した保護部とよりなり、
上記フロントケース部材と上記保護部とは、
フロントケース部材の外側面に対応する凹形状を有する第１のキャビティ金型部と、前記フロントケース部材に保護部を加えてなるフロントケース本体の外側面に対応する凹形状を有する第２のキャビティ金型部とを並んで有するキャビティ金型と、
前記フロントケース部材の内側面に対応する凸形状を有する第１のコア金型部と第２のコア金型部とを並んで有するコア金型とを有する成形金型装置を使用し、
前記コア金型を前記キャビティ金型に組合わせ、前記第１のキャビティ金型部内に、通常の合成樹脂を注入して第１の段階の成形を行なってフロントケース部材を成形し、前記コア金型を降ろし、成形されたフロントケース部材が第１のコア金型部に付いている状態で、前記コア金型を半回転させ、上動させ、再び前記キャビティ金型と組合わせ、
前記第１のキャビティ金型部内に、通常の合成樹脂を注入すると共に、前記第２のキャビティ金型部内にエラストマ質材料を注入して第２の段階の成形を行なって、前記フロントケース部材の外側面に前記保護部を成形して形成したことを特徴とする携帯無線端末装置
【請求項２】
携帯無線端末装置本体組立体が、リアケース組立体とフロントケース組立体とが組合わされたケース組立体の内部に組込まれた構成の携帯無線端末装置において、
上記携帯無線端末装置本体組立体は、スピーカを有し、且つ側面に、上記スピーカより発音する音の音量を可変するキーモジュールを有し、
上記フロントケース組立体は、フロントケース本体を有し、
該フロントケース本体は、
通常の合成樹脂製のフロントケース部材と、
該フロントケース部材の側面上のエラストマ質製の帯部とよりなり、
上記フロントケース部材は、その側面のうち前記キーモジュールに対向する部位に開口を有し、
上記エラストマ質製の帯部は、上記開口を塞ぐ部分の外側面に突き出した凸状のキーパッド部を有し、且つ、上記開口を塞ぐ部分の内側面に凸部を有する形状であり、
上記フロントケース部材と上記帯部とは、二色成形によって成形してある構成としたことを特徴とする携帯無線端末装置。
【発明の詳細な説明】
【０００１】
【発明の属する技術分野】
本発明は携帯電話機等の携帯無線端末装置に関する。
【０００２】
携帯無線端末装置は、更に普及を図るためには、低価格であることが一つの条件とされている。従って、製造者としては、製造コストを安価とすることが重要である。
【０００３】
【従来の技術】
本出願人は、先に、特願平６−３８７１３号、発明の名称「携帯無線端末装置」を出願した。
【０００４】
先の出願に係る「携帯無線端末装置」はプリント回路基板及びスピーカ及びマイクを備えた携帯無線端末装置本体組立体が、リアケース組立体とフロントケース組立体とを組合わせてなるケース組立体の内部に組込まれた構成を有する。
【０００５】
この携帯無線端末装置は、組立作業がし易い構造を有している。
【０００６】
【発明が解決しようとする課題】
しかし、先の出願に係る「携帯無線端末装置」は、持ちやすくして取り扱い中に落とし難くする改良の余地があった。
【０００７】
そこで、本発明は、低価格化を図りつつ、持ちやすく取り扱い中に落とし難くした携帯無線端末装置を提供することを目的とする。
【０００８】
【課題を解決するための手段】
請求項１の発明は、携帯無線端末装置本体組立体が、リアケース組立体とフロントケース組立体とが組合わされたケース組立体の内部に組込まれた構成の携帯無線端末装置において、
上記フロントケース組立体は、フロントケース本体を有し、
該フロントケース本体は、
通常の合成樹脂製のフロントケース部材と、
該フロントケース部材の側面上のエラストマ質製の周面に露出した保護部とよりなり、
上記フロントケース部材と上記保護部とは、
フロントケース部材の外側面に対応する凹形状を有する第１のキャビティ金型部と、前記フロントケース部材に保護部を加えてなるフロントケース本体の外側面に対応する凹形状を有する第２のキャビティ金型部とを並んで有するキャビティ金型と、
前記フロントケース部材の内側面に対応する凸形状を有する第１のコア金型部と第２のコア金型部とを並んで有するコア金型とを有する成形金型装置を使用し、
前記コア金型を前記キャビティ金型に組合わせ、前記第１のキャビティ金型部内に、通常の合成樹脂を注入して第１の段階の成形を行なってフロントケース部材を成形し、前記コア金型を降ろし、成形されたフロントケース部材が第１のコア金型部に付いている状態で、前記コア金型を半回転させ、上動させ、再び前記キャビティ金型と組合わせ、
前記第１のキャビティ金型部内に、通常の合成樹脂を注入すると共に、前記第２のキャビティ金型部内にエラストマ質材料を注入して第２の段階の成形を行なって、前記フロントケース部材の外側面に前記保護部を成形して形成したものである。
【０００９】
エラストマ質製の帯部は、携帯無線端末装置を持ったとき操作者の指を滑りにくくするように作用する。二色成形によって成形した構成は、フロントケース本体の製造コストの上昇を抑えるように作用する。
【００１０】
請求項２の発明は、上記携帯無線端末装置本体組立体は、スピーカを有し、且つ側面に、上記スピーカより発音する音の音量を可変するキーモジュールを有し、
上記フロントケース部材は、その側面のうち、上記キーモジュールに対向する個所に開口を有し、
上記エラストマ質製の帯部のうち、上記開口を塞ぐ部分が、キーパッド部を形成する構成としたものである。
【００１１】
請求項２の発明において、帯部の一部がキーパッド部を形成する構成は、キーパッド部品を不要とするように作用する。
【００１２】
【発明の実施の形態】
次に、本発明の一実施例になる携帯電話機について説明する。
【００１３】
以下、次の順序で説明する。
【００１４】
Ｉ  第１，第２の機種の携帯電話機の構造
II  電話機本体組立体２２
IIIリアケース組立体２３
IV  第１の機種の携帯電話機１１のフロントケース組立体２５
Ｖ  第２の機種の携帯電話機１２のフロントケース組立体２８
VI  液晶表示組立体４１−２
VII 組み立てた携帯電話機１１（１２）における電話機本体組立体２２とリアケース組立体２３とフロントケース組立体２５（２８）との関係
VIII  付記
Ｉ〔第１，第２の機種の携帯電話機の構造〕
図２は第１の機種の携帯電話機１１，図３は第２の機種の携帯電話機１２を示す。
【００１５】
図１に示すように、第１の機種の携帯電話機１１は、プリント回路基板（図示せず）、スピーカ２０及びマイク２１を有する電話機本体組立体（携帯無線端末装置本体組立体）２２と、リアケース組立体２３と、キーパッド２４と、フロントケース組立体２５とを有する。  電話機本体組立体２２及びキーパッド２４が、リアケース組立体２３とフロントケース組立体２５とを組合わせてなるケース組立体２６内に収容してある。
【００１６】
第２の機種の携帯電話機１２は、電話機本体組立体２２及びキーパッド２７が、リアケース組立体２３とフロントケース組立体２８とを組合わせてなるケース組立体２９内に収容された構造を有する。
【００１７】
第１，第２の機種の携帯電話機１１，１２は、バッテリ３０をケース組立体２６，２９のリア面に装着された状態で使用される。
【００１８】
図１に示すように、第１，第２の機種の携帯電話機１１，１２を構成する部品群は、両方の機種の携帯電話機１１，１２に共通である共通部品群３１と、第１の機種の携帯電話機１１に専用の部品群３２と、第２の機種の携帯電話機１２に専用の部品群３３とに大別される。
【００１９】
共通部品群３１には、電話機本体組立体２２と、リアケース組立体２３とが属する。
【００２０】
専用部品群３２には、キーパッド２４とフロントケース組立体２５とが属する。
【００２１】
専用部品群３３には、キーパッド２７とフロントケース組立体２８とが属する。
【００２２】
上記のように、二種類の携帯電話機１１，１２は、電話機本体組立体２２とリアケース組立体２３とについては共通に使用し、キーパッド及びフロントケース組立体については、二種類の中から選択したものを使用して、組立てられる。
【００２３】
従って、二種類の携帯電話機１１，１２を生産する場合において、電話機本体組立体２２とリアケース組立体２３とについては、二種類のものを用意する必要がない。その分、携帯電話機１１，１２の製造コストは安価である。
【００２４】
II〔電話機本体組立体２２〕
図４は、電話機本体組立体全体を分解して示す。
【００２５】
図５は、図２中、電話機本体組立体２２をＶ−Ｖ線に沿って断面して示す図である。
【００２６】
図６は、図４中、シールドケースより上側の部分を示し、図７は、シールドケースより下側の部分を示す。
【００２７】
（１）全体概略構成
図４及び図５に示すように、電話機本体組立体２２は、シールドケース４０を本体とする構造である。
【００２８】
図４，図５，図６に示すように、シールドケース４０の上面側には、フロント側プリント基板（ＣＵ基板）組立体４１，キーコンタクト板４２，シールド板部材４３及びスピーカ組立体４４が取り付けてある。
【００２９】
図４，図５，図７に示すように、シールドケース４０の下面側には、リア側プリント基板（ＴＵ）組立体４５，シールド板部材４６及び同軸ケーブル４８−１，４８−２が取り付けてある。
【００３０】
シールド板部材４３，４６は、夫々後述する差し込み用鍔部４３−４，４６−８を夫々溝４０−２４，４０−２５内に弾性的に圧入された状態で取り付けてある。
【００３１】
電話機本体組立体２２がケース組立体２９内に組込まれて固定される前の段階においては、フロント側プリント基板組立体４１，キーコンタクト板４２，リア側プリント基板組立体４５は、シールド板部材４３及び４６によって、シールドケース４０に対して仮止めされた状態にある。
【００３２】
電話機本体組立体２２がケース組立体２９内に組込まれているときの状態については、後述する。
【００３３】
（２）シールドケース４０
シールドケース４０は、合成樹脂製の成形部品に、金属が電解メッキされた構成である。
【００３４】
シールドケース４０は、図８，図９に併せて示すように、大略、長方形状の平板部４０−１と、上方突出周囲塀部４０−２と、下方突出周囲塀部４０−３と、二つの下方突出桟状塀部４０−４，４０−５とを有する。
【００３５】
シールド４０の上面及び下面の、上記塀部４０−２，４０−３，４０−４，４０−５によって囲まれた部分は、浅い空間４０−６，４０−７となっている。この空間４０−６，４０−７内に後述するように、電子部品が収容される。
【００３６】
桟状塀部４０−４，４０−５は、空間４０−７を三つの空間部４０−７−１，４０−７−２，４０−７−３に仕切っている。
【００３７】
塀部４０−３，４０−４，４０−５の下端面４０−８には、溝４０−９が形成してある。４７はシールドパッキン部材であり、導電ゴム製であり、紐状を有し、溝４０−９内に圧入されて敷設してあり、一部が下端面４０−８より突出している。
【００３８】
平板部４０−１は、長手方向上一端側に二つのコーナ部分４０−１０，４０−１１を有する。
【００３９】
各コーナ部分４０−１０，４０−１１には、夫々後述するタップねじ５０，５１が挿通する貫通孔４０−１２，４０−１３が形成してある。
【００４０】
平板部４０−１は、４つのボス４０−１４，４０−１５，４０−１６，４０−１７とを有する。
【００４１】
ボス４０−１４，４０−１５は、平板部４０−１の長手方向上、上記のコーナ部分４０−１０，４０−１１とは、反対側の端の近傍の両側に位置してあり、平板部４０−１より上方及び下方に突き出している。
【００４２】
このボス４０−１４，４０−１５は、夫々後述するタップねじ５２，５３が挿通する貫通孔４０−１８，４０−１９を有する。
【００４３】
ボス４０−１６，４０−１７は、平板部４０−１の長手方向中心線上であって且つ上記桟状塀部４０−４，４０−５に隣接した位置に位置してあり、平板部４０−１の下面にのみ突出している。
【００４４】
ボス４０−１６，４０−１７には、めくら孔４０−２０，４０−２１が形成してある。このめくら孔４０−２０，４０−２１には後述するタップねじ５４，５５がねじ込まれる。
【００４５】
また、シールドケース４０は、平板部４０−１の最外周部より上方及び下方に突出したリブ４０−２２及び４０−２３を有する。
【００４６】
塀部４０−２とリブ４０−２２との間に、深い溝４０−２４が形成してある。
【００４７】
塀部４０−３とリブ４０−２３との間に、深い溝４０−２５が形成してある。
【００４８】
この深い溝４０−２４，４０−２５には、後述するように、シールド板部材４６の差し込み鍔部が差し込まれる。
【００４９】
また、シールドケース４０は、平板部４０−１より上方に柱状に突出した位置決め用凸部４０−２６，４０−２７を有する。
【００５０】
この凸部４０−２６，４０−２７は、キーコンタクト４２等の位置決めに使用されるものである。
【００５１】
凸部４０−２６は、シールドケース４０のうち、左側の部分であって、コーナ部分４０−１０に近い位置に設けてある。
【００５２】
凸部４０−２７は、シールドケース４０のうち、右側の部分であって、コーナ部分４０−１１とボス４０−１５との略中間の位置に設けてある。
【００５３】
（３）フロント側プリント基板（ＣＵ基板）組立体４１
図４及び図６に示すように、フロント側プリント基板（ＣＵ基板）組立体４１は、多層構造のフロント側プリント基板４１−１に、液晶表示組立体４１−２，電子部品４１−３，液晶表示組立体４１−２用の発光ダイオード４１−４，キーボード用の発光ダイオード４１−５，コネクタ４１−６，４１−７，マイク２１，ブザー４１−８，シールド板部材４１−９，音量可変キーモジュール４１−１０等が取り付けられた構成を有する。
【００５４】
プリント基板４１−１は、シールドケース４０に対応する寸法形状を有し、上記の位置決め用凸部４０−２６，４０−２７に対応する逃げ孔４１−１−１，４１−１−２を有する。
【００５５】
また、プリント基板４１−１は、端部に、マイク及びブザーを取り付けるための二つのＵ字状切欠４１−１−３，４１−１−４を有する。
【００５６】
また、プリント基板４１−１は、切欠４１−１−３，４１−１−４とは反対側の端の近傍に、後述するタップねじ５２，５３が挿通する孔４１−１−５，４１−１−６を有する。マイク２１は、図１０に示すゴム製のブッシング４１−１１内に組み込まれている。ブッシング４１−１１は、切欠４１−１−３内に差し込むことによって、溝４１−１−１１がプリント基板４１−１と嵌合して取り付けられている。
【００５７】
ブザー４１−８は、マイク２１と同じく、図１１に示すゴム製のブッシング４１−１２内に組み込まれている。ブッシング４１−１２は、切欠４１−１−４内に差し込むことによって、溝４１−１２−１がプリント基板４１−１と嵌合して取り付けられている。
【００５８】
（４）キーコンタクト板４２
図４及び図６に示すように、キーコンタクト板４２は、四角のシート状を有し、複数のキーコンタクト部４２−１を整列して有し、且つ上記の位置決め用凸部４０−２６，４０−２７に対応する位置決め用孔４２−２，４２−３を有する。
【００５９】
（５）シールド板部材４３
図４及び図６に示すように、シールド板４３は、キーコンタクト４２に対応する寸法形状を有し、複数の開口４３−１を整列して有し、上記の位置決め用凸部４０−２６，４０−２７に対応する位置決め用孔４３−２，４３−３を有し、Ｙ１，Ｙ２方向両側に、差し込み鍔部４３−４を有する。
【００６０】
（６）スピーカ組立体４４
図６に示すように、スピーカ組立体４４は、略門型のホルダ４４−１の上面に、スピーカ２０がガスケット４４−２によって押さえられて取り付けられた構成を有する。
【００６１】
ホルダ４４−１は、ボス４４−１−１，４４−１−２を有する。
【００６２】
また、ホルダ４４−１は、取付用爪部４４−１−３，４４−１−４を有する。爪部４４−１−３，４４−１−４は、Ｙ１，Ｙ２方向端側よりホルダ４４−１の内側に突出している。ホルダ４４−１は、爪部４４−１−３，４４−１−４がプリント基板４１−１のＹ１，Ｙ２端の下面に係合して、シールド板部材４１−９を内側に保持した状態で、プリント基板４１−１に仮止めされる（図１２及び図３５参照）。
【００６３】
ホルダ４４−１がプリント基板４１−１に仮止めされてプリント基板４１−１から簡単には外れない状態にあるため、スピーカ２０の取り付け、及びキースイッチ４１−１０のホルダ４４−１の側面部４４−１−５への半田付けによる取り付けは、ホルダ４４−１を保持することなく、プリント基板４１−１を保持している状態で、作業性良く行われる。
【００６４】
図１２は、スピーカ組立体４４が、プリント基板４１−１に仮止めされている状態を示す。
【００６５】
（７）リア側プリント基板（ＴＵ基板）組立体４５
図４及び図７に示すように、リア側プリント基板（ＴＵ基板）組立体４５は、多層構造のリア側プリント基板４５−１に多数の電子部品４５−２、複数種類のコネクタ４５−３〜４５−６及びアンテナ接点用板ばね部材４５−７が取り付けられた構成を有する。
【００６６】
リア側プリント基板４５−１は、シールドケース４０に対応する寸法形状を有し、後述するタップねじ５２，５３が挿通する孔４５−１−１，４５−１−２，及びタップねじ５４，５５が通る孔４５−１−３，４５−１−４を有する。
【００６７】
リア側プリント基板４５−１のうち、上記シールドケース４０のコーナ部分４０−１０に対応する部分に、切欠部４５−１−５を有する。
【００６８】
リア側プリント基板４５−１の上面４５−１−６には、図１３に示すアースパターン４５−１−７が形成してある。
【００６９】
アースパターン４５−１−７は、上記シールドケース４０の塀部４０−３，４０−４，４０−５に対応するパターンを有する。
【００７０】
アースパターン４５−１−７は、リア側プリント基板４５−１の周囲に沿うアースパターン部４５−１−７−１と、桟状のアースパターン部４５−１−７−２，４５−１−７−３とを有する。各アースパターン部はつながっている。
【００７１】
アースパターン部４５−１−９−１は、孔４５−１−１の周囲のアースパターン部分４５−１−７−１ａ，孔４５−１−２の周囲のアースパターン部分４５−１−７−１ｂ，及びコーナ部分のアースパターン部分４５−１−７−１ｃ，４５−１−７−１ｄを有する。
【００７２】
また、リア側プリント基板４５−１の下面４５−１−２には、図１４に示すアースパターン４５−１−９を有する。
【００７３】
アースパターン４５−１−９は、孔４５−１−１の周りのアースパターン部４５−１−９−１，及び孔４５−１−２の周りのアースパターン部４５−１−９−２，孔４５−１−３の周りのアースパターン部４５−１−９−３，孔４５−１−４の周りのアースパターン部４５−１−９−４，及びコーナ付近のアースパターン部４５−１−９−５，４５−１−９−６が島状に分布したパターンを有する。
【００７４】
プリント基板４５−１の上下面のアースパターン４５−１−７及び４５−１−９は、プリント基板４５−１の中間のベタアース層と電気的に接続されている。
【００７５】
上記のリア側プリント基板４５−１は、図１５に示すように二枚取りされる。
【００７６】
図１５中、４５−８は二枚取りする直前の状態のプリント大基板である。図１５は、プリント大基板４５−８の下面を示す。
【００７７】
プリント大基板４５−８は、複数のスリット４５−８−１を有する。また、プリント大基板４５−８には、ルータにより引き込んでなる５本の直線状のＶカット溝４５−８−２〜４８−８−６が形成してある。
【００７８】
プリント大基板４５−８は、二つのリア側プリント基板予定部分４５−８−７，４５−８−８を有する。
【００７９】
プリント大基板４５−８を、Ｖカット溝４５−８−２〜４８−８−６に沿って割ることによって、リア側プリント基板４５−１が二枚得られる。
【００８０】
ここで、リア側プリント基板４５−１は、図７及び図１３に示すように、長手方向に沿う両側の側端縁４５−１−１０，４５−１−１１が、Ｘ１，Ｘ２方向に延在する略直線状をなし、且つ、外側に張り出した部分を有しない形状を有する。
【００８１】
このことによって、図１５中、二つのリア側プリント基板予定部分４５−８−７，４５−８−８は、一本のＶカット溝４８−８−３でもって分けられた状態となっている。換言すると、一のＶカット溝４５−８−３が、二つのリア側プリント基板を割出すのに共通に使用される構成となっている。
【００８２】
これにより、Ｖカット溝の本数を少なくし得、Ｖカット溝をルータによって切削して形成するための作業に要する時間を短くし得、よって、その分、リア側プリント基板４５−１の製造コストは安価となる。
【００８３】
なお、リア側プリント基板４５−１は、側端縁４５−１−１０，４５−１−１１から外側に張り出した部分を有しないため、リア側プリント基板４５−１をシールドケース４０と共締めしうる個所が減り、リア側プリント基板４５−１とシールドケース４０との押圧力が減り、図９中、空間部４０−７−３内のシールド効果が損なわれる虞れがある。そこで、シールド効果を高める工夫がしてある。これについては後述する。
【００８４】
図１６は、アンテナ接点用板ばね部材４５−７がリア側プリント基板４５−１に取り付けられている状態を示す。
【００８５】
アンテナ接点用板ばね部材４５−７は、Ｕ字状の板ばね部４５−７−１と、この両側の互いに逆向きの補強用のつい立て部４５−７−２，４５−７−３とよりなる形状を有する。
【００８６】
このアンテナ接点用板ばね部材４５−７は、リア側プリント基板４５−１の下面４５−１−８に半田付けされて取り付けてあり、リア側プリント基板４５−１上のアンテナ回路と電気的に接続してある。
【００８７】
電話機本体組立体２２がケース組立体２６内に組込まれたときに、板ばね部４５−７−１が、後述するアンテナ給電用板金部材２３−２−４と圧接する（図２２参照）。
【００８８】
（８）シールド板部材４６
図４及び図７に示すように、シールド板部材４６は、大略、一の蓋部４６−１と、別の蓋部４６−２と、両者をつなぐつなぎ部４６−３と、一対の耳部４６−４，４６−５とよりなる。
【００８９】
耳部４６−４，４６−５は、夫々タップねじ５２，５３が通る孔４６−６，４６−７を有する。
【００９０】
蓋部４６−１は、差し込み用鍔部４６−８を有する。
【００９１】
蓋部４６−２は、突部４６−９，４６−１０，切欠４６−１１，４６−１２及び舌部４６−１５，４６−１６を有する。
【００９２】
突部４６−９，４６−１０は夫々タップねじ５４，５５が通る孔４６−１３，４６−１４を有する。
【００９３】
切欠４６−１１，４６−１２は、蓋部４６−２のＹ１，Ｙ２端側に形成してある。
【００９４】
舌部４６−１５，４６−１６は、蓋部４６−２のＸ１端側に形成してある。
【００９５】
III 〔リアケース組立体２３〕
図１，図１７及び図１８に示すように、リアケース組立体２３は、合成樹脂の成形品であるリアケース部材２３−１に、アンテナ装置２３−２が組込まれた構成を有する。
【００９６】
▲１▼  リアケース部材
図１７及び図１８に示すように、リアケース部材２３−１は、底板部２３−１−１と周側壁部２３−１−２とを有する。
【００９７】
周側壁部２３−１−２は、４つの側壁部２３−１−２ａ〜２３−１−２ｄよりなる。
【００９８】
リアケース部材２３−１は、ボス２３−１−３〜２３−１−８を有する。
【００９９】
ボス２３−１−３，２３−１−４，２３−１−５，２３−１−６，２３−１−７，２３−１−８は、夫々シールドケース４０のコーナ部４０−１０，４０−１１，及びボス４０−１４，４０−１５，４０−１６，４０−１７に対応する位置に設けてある。
【０１００】
各ボス２３−１−３〜２３−１−８は、夫々タップねじ５０〜５５が挿通する貫通孔２３−１−９〜２３−１−１４を有する。
【０１０１】
また、リアケース部材２３−１は、複数のリブ２３−１−１５〜２３−１−２５を有する。
【０１０２】
リブ２３−１−１５，２３−１−１６は、図１９に併せて示すように、側壁部２３−１−２ａのうちボス２３−１−８に略対応する部位に接近して設けてあり、Ｙ２方向に延在している。
【０１０３】
リブ２３−１−１７は、側壁部２３−１−２ｂから、上記のリブ２３−１−１６に対向してＹ１方向に延出している。
【０１０４】
リブ２３−１−１８，２３−１−１９は、夫々側壁部２３−１−２ｄからＸ１方向に延出している。
【０１０５】
三つのリブ２３−１−２０，２３−１−２１，２３−１−２２は、図２０に併せて示すように、ボス２３−１−４の基部の部分から、リアケース部材２３−１の内方に向かって放射状に延在している。
【０１０６】
三つのリブ２３−１−２３，２３−１−２４，２３−１−２５は、ボス２３−１−３の基部の部分から放射状に延在している。
【０１０７】
上記のリブ２３−１−１６〜２３−１−２５は、後述するように、リア側プリント基板４５−１（又はシールド板部材４６）を受ける。
【０１０８】
また、リブ２３−１−１５，２３−１−１６には、夫々Ｕ字状切欠２３−１−１５ａ，２３−１−１６ａが形成してある。このＵ字状切欠２３−１−１５ａ，２３−１−１６ａによって、アンテナパイプ２３−２−５が保持されている。
【０１０９】
また、リアケース部材２３−１は、アンテナ給電用板部材取付け部２３−１−２６を有する。
【０１１０】
この取付け部２３−１−２６は、図２１に示すように、三つのリブ２３−１−２６−１〜２３−１−２６−３よりなる。
【０１１１】
リブ２３−１−２６−１は、ボス２３−１−２７の周側面２３−１−２７ａの途中の位置からＹ２方向に張り出しており、Ｙ２端側に切欠部２３−１−２６−１ａを有する。
【０１１２】
リブ２３−１−２６−２は、ボス２３−１−２７の端面２３−１−２７ｂよりＹ２方向に張り出しており、Ｙ２端側に切欠部２３−１−２６−２ａを有する。
【０１１３】
リブ２３−１−２６−３は、リブ２３−１−２６−２及びボス端面２３−１−２７ｂに対向している。
【０１１４】
リブ２３−１−２６−３とリブ２３−１−２６−２との間には、アンテナ給電用板金部材２３−２−４の板厚ｔ１に相当する隙間２３−１−２６−４を有する。
【０１１５】
リブ２３−１−２６−３は、アンテナ給電用板金部材２３−２−４のバーリング加工部２３−２−４−３の大きさの対応したＵ字状切欠２３−１−２６−３ａを有する。
【０１１６】
なお、上記ボス２３−１−２７は、リアケース部材２３−１のＸ２側で且つＹ２側のコーナに設けてあり、後述するアンテナ装置２３−２を構成するヘリカルアンテナ収容筒体２３−２−３の一部が嵌合される。
【０１１７】
▲２▼  アンテナ装置２３−２
図１７に示すように、アンテナ装置２３−２は、ロッドアンテナ２３−２−１と、ヘリカルコイルアンテナ２３−２−２と、ヘリカルコイルアンテナ２３−２−２が収容してある筒体２３−２−３と、アンテナ給電用板金部材２３−２−４と、ロッドアンテナ２３−２−１を収容するアンテナパイプ２３−２−５とを有する。
【０１１８】
筒体２３−２−３は、Ｘ１方向端に、雄ねじ部２３−２−３ａを有する。
【０１１９】
ロッドアンテナ２３−２−１は、筒体２３−２−３に対してＸ１，Ｘ２方向に摺動可能である。
【０１２０】
アンテナ給電用板金部材２３−２−４は、従来使用していたアンテナ給電用インサートに代わるものである。
【０１２１】
アンテナ給電用板金部材２３−２−４は、図２１に示すように、本体部２３−２−４−１と、本体部２３−２−４−１に対してＸ２方向に曲げてあるフランジ部２３−２−４−２と、本体部２３−２−４−１のＹ１端側のバーリング加工部２３−２−４−３と、バーリング加工部２３−２−４−３の内周の雌ねじ部２３−２−４−４とよりなる。
【０１２２】
このアンテナ給電用板金部材２３−２−４は、板金加工によって製造されたものであり、従来のアンテナ給電用インサートに比べて安価である。
【０１２３】
アンテナ給電用板金部材２３−３−４は、図２１に示す状態からＹ１方向に移動させ、隙間２３−１−２６−４内に押し込むことによって簡単に取り付けられる。
【０１２４】
アンテナ給電用板金部材２３−２−４は、図２１に示すように、本体部２３−２−４−１がリブ２３−１−２６−２及びボス２３−１−２７とリブ２３−１−２６−３との間に挟まれ、フランジ部２３−２−４−２が切欠２３−１−２６−１ａ，２３−１−２６−２ａ内に嵌合し、且つバーリング加工部２３−２−４−３が切欠２３−１−２６−３ａ内に嵌合した状態で固定される。
【０１２５】
アンテナ装置２３−２は、図２３及び図２４に示すように組込まれる。
【０１２６】
筒体２３−２−３は、ボス２３−１−２７内に挿入され、雄ねじ部２３−２−３ａを上記雌ねじ部２３−２−４−４にねじ込まれて固定してある。
【０１２７】
ロッドアンテナ２３−２−１は、アンテナパイプ２３−２−５内に挿入されている。
【０１２８】
なお、アンテナパイプ２３−２−５のＸ２方向端は、リブ２３−１−２８の切欠２３−１−２８ａに嵌合して固定されている。
【０１２９】
なお、前記の電話機本体組立体２２をリアケース組立体２３内に組込むと、前記のアンテナ接点用板ばね部材４５−７のＵ字状板ばね部４５−７−１が図２３中二点鎖線で示すように、アンテナ給電用板金部材２３−２−４の本体部２３−２−４−１に圧接する。
【０１３０】
これにより、ヘリカルコイルアンテナ２３−２−２が、アンテナ給電用板金部材２３−２−４及びアンテナ接点用板ばね部材４５−７を介して、リア側プリント基板４５−１のアンテナ回路と電気的に接続された状態となる。
【０１３１】
ロッドアンテナ２３−２−１をＸ２方向に最終位置まで引き出すと、ロッドアンテナ２３−２−１の端部が筒体２３−２−３と接触し、ロッドアンテナ２３−２−１が、アンテナ給電用板金部材２３−２−４及びアンテナ接点用板ばね部材４５−７を介して、リア側プリント基板４５−１のアンテナ回路と電気的に接続された状態となる。
【０１３２】
IV〔第１の機種の携帯電話機１１のフロントケース組立体２５〕
図２５に示すように、フロントケース組立体２５はフロントケース部材２５−１と、蓋部材２５−２と、液晶表示窓部材２５−３とを有する。
【０１３３】
▲１▼  フロントケース部材２５−１
フロントケース部材２５−１は、天板部２５−１−１と周側壁部２５−１−２とを有する。
【０１３４】
フロントケース部材２５−１は、Ｘ１端側に、送話器ケース部２５−１−３及び軸支部２５−１−４，２５−１−５を有し、Ｘ２端側に受話器ケース部２５−１−６を有する。
【０１３５】
フロントケース部材２５−５は、更に、送話器ケース部２５−１−３と受話器ケース部２５−１−６の間の部分のうち、送話器ケース部２５−１−３寄りの部分に、テンキーケース部２５−１−７を有し、受話器ケース部２５−１−６寄りの部分に、表示窓枠部２５−１−８を有する。
【０１３６】
受話器ケース部２５−１−６は、三つの小孔２５−１−９が二列に並んだデザインを有する。
【０１３７】
また、天板部２５−１−１は、その裏面に、４つのめくら孔付きのボス２５−１−１０〜２３−１−１３を有する。
【０１３８】
ボス２５−１−１０〜２３−１−１３は、図１７に示すリアケース部材２３−１との関係でみると、夫々、ボス２３−１−３，２３−１−４，２３−１−５，２３−１−６に対応するように配されている。
【０１３９】
また、図６に示す電話機本体組立体２２との関係でみると、ボス２５−１−１０，２３−１−１１は、夫々コーナ部４０−１０，４０−１１に対応し、ボス２５−１−１２，２５−１−１３は、夫々ボス４１−１−１，４４−１−２に対応するように配されている。
【０１４０】
また、フロントケース部材２５−１は、Ｙ２側の側壁部２５−１−１４のうちＸ２端近傍にリブ状に肉盛りされた突段部２５−１−１５を有する。
【０１４１】
▲２▼  フロントケース部材２５−１に取り付けてある小部品
フロントケース部材２５−１には、Ｙ２側の側壁部２５−１−１４のうち、Ｘ２方向端近傍に、スピーカ２０よりの音量を増加させるときに押付操作される操作ノブ２５−４及び音量を減少させるときに押付操作される操作ノブ２５−５が設けてある。
【０１４２】
操作ノブ２５−４，２５−５は、Ｘ１，Ｘ２方向上整列して且つ距離ａ離れて排してある。
【０１４３】
また、操作ノブ２５−４，２５−５は、押し易くするために、側壁部２５−１−４の表面に対して、寸法ｂ突き出している。
【０１４４】
上記の突段部２５−１−１５は、側壁部２５−１−４のうち上記操作ノブ２５−４，２５−５の間の部分に形成してあり、上記寸法ｂと実質上同じ高さを有する。
【０１４５】
この突段部２５−１−１５を設けることによって、操作ノブ２５−４，２５−５を側壁部２５−１−４の表面より高くしていることによって起き易くなっている誤作動の問題が解決されている。
【０１４６】
即ち、図２に示す携帯電話機１１を使用しているときに、図２７に示すように、側壁部２５−１−４を矢印Ａで示すように、物５８に押し付けることが起こりうる。
【０１４７】
突段部２５−１−１５が設けられていない場合には、操作ノブ２５−４，２５−５が押されてしまうことになる。
【０１４８】
しかし、本実施例においては、突段部２５−１−１５が物５８に当接することによって、操作ノブ２５−４，２５−５は少しも押されず、誤動作は防止される。
【０１４９】
なお、突段部２５−１−１５は、操作ノブ２５−４，２５−５を囲んでいるのではなく、操作ノブ２５−４と操作ノブ２５−５との間に位置しているため、操作ノブ２５−４，２５−５の押付け操作の操作性を損なわない。
【０１５０】
また、図２６に併せて示すように、軸部材２５−６が、軸支部２５−１−４に組込まれている。軸部材２５−７には、キャップ部材２５−８によって押さえられたばね部材２５−９が嵌合している。
【０１５１】
また、別の軸部材２５−７が別の軸部材収容部２５−１−５に、上記の軸部材２５−６と同じく組込まれている。
【０１５２】
ここで、軸部材２５−６と軸部材２５−７とは別の部材であり、軸部材２５−６は軸支部２５−１−４に組込まれ、軸部材２５−７は軸支部２５−１−５に組込まれるべきものである。
【０１５３】
しかし、軸部材２５−６と軸部材２５−７とは極めて似た形状を有しており、とり違えて組込まれる誤組立てが起きる虞れがある。
【０１５４】
そこで、本実施例では、判別がし易いように、一方の軸部材２５−６は、端面に円形の凸部２５−６−１を有する形状としてある。
【０１５５】
また、この凸部２５−６−１を利用して、取り違えて組込まれないようにしてある。
【０１５６】
即ち、軸支部２５−１−５は、切欠を有しない構造としてあり、軸支部２５−１−４にのみ、凸部２５−６−１に対応する切欠２５−１−４−１が形成してある。
【０１５７】
このため、軸部材２５−６は、凸部２５−６−１が当たって軸支部２５−１−５には組み込まれず、軸支部２５−１−４にだけ組み込まれる。
【０１５８】
これによって、軸部材２５−６と２５−７とが、とり違えて組込まれる誤組立てが防止される。
【０１５９】
一般に、誤組立てがなされたことは、蓋部材２５−２を取り付けるときに気がつく。この場合には、誤って取り付けられている軸部材を取り外し、正しい軸部材を取り付ける手間のかかる作業が必要となる。
【０１６０】
本実施例によれば、この手間がかかる作業であって、しかも本来必要でない作業を行う必要が起きないため、携帯電話機１１，１２は効率良く組立てられる。また、軸部材２５−６，２５−７は、軸支部２５−１−４，２５−１−５より外方に突き出している軸部２５−６−２，２５−７−１を有する。
【０１６１】
軸部２５−６−２，２５−７−１は、断面が長方形である。
【０１６２】
軸部２５−６−２，２５−７−１は、先端に丸み部２５−６−２ａ，２５−７−１ａを有する。蓋部材２５−２が取り付け易いようにするためである。
【０１６３】
▲３▼  蓋部材２５−２
図２５及び図２６に示すように、蓋部材２５−２は、一対の軸係合部２５−２−１，２５−２−２を有する。
【０１６４】
蓋部材２５−２は、軸係合部２５−２−１，２５−２−２を夫々軸部２５−６−２，２５−７−１に係合させて取り付けてある。
【０１６５】
ここで、軸部２５−６−２，２５−７−１は丸み部２５−６−２ａ，２５−７−１ａを有しているため、軸係合部２５−２−１，２５−２−２は、軸部２５−６−２，２５−７−１に係合し易く、蓋部材２５−２は作業性良く取り付けられる。
【０１６６】
携帯電話機１１を使用していないときには、蓋部材２５−２は閉じてあり、テンキー部を覆っている。
【０１６７】
携帯電話機１１を使用するときに、蓋部材２５−２が開かれる。
【０１６８】
▲４▼  液晶表示窓部材２５−３
図２５に示すように、液晶表示窓部材２５−３は、透明の樹脂成形部品であり、一対の爪部２５−３−１，２５−３−２を有する。
【０１６９】
液晶表示窓部材２５−３は、下面の周囲部に、黒色のシルク印刷が施してある。ハッチングを付した部分２５−３−３は、シルク印刷された部分である。シルク印刷としたのは、従来のインモールド成形によって黒色系の層部を形成するのに比べて、安価であるからである。また、液晶表示窓部材２５−３の下面は平面であり、シルク印刷はし易い。
【０１７０】
シルク印刷では、外観に、部材２５−３を樹脂成形するときのゲート跡が見えてしまう。
【０１７１】
そこで、部材２５−３を成形する型は、爪部２５−３−１，２５−３−２の先端の個所から樹脂が注入される構造を有するように定めてある。
【０１７２】
これにより、部材２５−３は、ゲート跡２５−３−４を、爪部２５−３−１，２５−３−２の先端に有するものとなっている。
【０１７３】
部材２５−３は、爪部２５−３−１，２５−３−２をフロントケース部材２５−１のスリット２５−１−１６，２５−１−１７に挿入され、位置決めされた状態で、表示窓枠部２５−１−８に両面テープ２５−３−５によって接着されている。
【０１７４】
ゲート跡２５−３−４は、フロントケース部材２５−１の天板部２５−１−１の下側に入り込んでおり、隠されている。
【０１７５】
また、黒色にシルク印刷された部分２５−３−３が存在することによって、部材２５−３を取り付けた状態において、スリット２５−１−１６，２５−１−１７の影が部材２５−３に写ることが防止されている。
【０１７６】
▲５▼  キーパッド２４
図２５に示すように、キーパッド２４は、複数のキーパッド部２４−１を整列して有する。各キーパッド部２４−１には、数字の他に、第１の機種の携帯電話機１１の機能に対応した文字及びマーク等が印されている。
【０１７７】
キーパッド２４は、図６中のキーコンタクト板４２の位置決め用孔４２−２，４２−３に対応する、位置決め用孔２４−２，２４−３を有する。
【０１７８】
キーパッド２４は、テンキーケース部２５−１−７の裏面に配され、各キーパッド部２４−１が、テンキーケース部２５−１−７の孔２５−１−７−１より若干突き出す。
【０１７９】
Ｖ〔第２の機種の携帯電話機１２のフロントケース組立体２８〕
図２８に示すように、フロントケース組立体２８は、図２５に示すフロントケース組立体２５と実質上同じ構造であり、フロントケース本体２８−１と、蓋部材２８−２と、液晶表示窓部材２８−３とを有する。
【０１８０】
蓋部材２８−２及び液晶表示窓部材２８−３は、図２５中の蓋部材２５−２及び液晶表示窓部材２５−３と実質上同じである。
【０１８１】
▲１▼  フロントケース本体２８−１
フロントケース本体２８−１は、フロントケース本体２８−１の両側面に、帯部２８−１−２，２８−１−３を有する構造を有する。
【０１８２】
フロントケース部材２８−１−１は、受話器ケース部２８−１−１−１及びテンキーケース部２８−１−１−２のデザインを除いて、図２５中のフロントケース部材２５−１と実質上同じである。
【０１８３】
受話器ケース部２８−１−１−１は、大き目の一の孔２８−１−１−３を有する。
【０１８４】
テンキーケース部２８−１−１−２は、Ｙ１，Ｙ２方向の両側に、鍔部２８−１−１−４，２８−１−１−５を有する。
【０１８５】
フロントケース部材２８−１−１は、図２５中のめくら孔付きのボス２５−１−１０〜２５−１−１３に対応する位置に、同じくめくら孔付きのボス２８−１−１−６〜２８−１−１−９を有する。
【０１８６】
上記の帯部２８−１−２，２８−１−３は、レオストマ（商品名、製造者理研ビニル工業（株））製である。レオストマは、ポリスチレン系の合成樹脂であり、「エラストマ」の概念に含まれる材料である。
【０１８７】
帯部２８−１−２，２８−１−３は、硬質であるフロントケース部材２８−１−１に比べて、指先がなじみ易く、且つすべりにくい。
【０１８８】
従って、第２の機種の携帯電話機１２は、第１の機種の携帯電話機１１に比べて、持ち易く落としにくい。
【０１８９】
上記のフロントケース本体２８−１は、二色成形法によって成形してある。これについては後述する。
【０１９０】
図２９に併せて示すように、フロントケース本体２８−１−１の側壁部２８−１−１−１０は、図６中のキーモジュール４１−１０に対応する部位に、二つの矩形状の開口２８−１−１−１１，２８−１−１−１２を有する。
【０１９１】
帯部２８−１−２は、上記の開口２８−１−１−１１，２８−１−１−１２を覆っている。
【０１９２】
２８−１−２−１，２８−１−２−２はキーパッド部であり、上記帯部２８−１−２のうち、開口２８−１−１−１１，２８−１−１−１２を塞いでいる部分によって構成してある。
【０１９３】
キーパッド部２８−１−２−１，２８−１−２−２は、薄肉の膜状となっており、押されると、弾性的に撓みうる。
【０１９４】
キーパッド部２８−１−２−１，２８−１−２−２は、夫々内側面に、リブ状の凸部２８−１−２−１ａ，２８−１−２−２ａを有する。
【０１９５】
キーパッド部２８−１−２−１，２８−１−２−２が押されたときに、この凸部２８−１−２−１ａ，２８−１−２−２ａが、キーモジュール４１−１０を押す。
【０１９６】
また、キーパッド部２８−１−２−１，２８−１−２−２は、夫々押し操作がし易いように、外側面に、突き出した凸部２８−１−２−１ｂ，２８−１−２−２ｂを有する。凸部２８−１−２−１ｂ，２８−１−２−２ｂは、互いに逆向きの三角形状を有する。
【０１９７】
また、側壁部２８−１−１−１０は、内側面のうち開口２８−１−１−１１，２８−１−１−１２から天板部に到るリブ２８−１−１−１３，２８−１−１−１４を有する。
【０１９８】
上記凸部２８−１−２−１ａ及びリブ２８−１−１−１３は、共に、Ｚ１，Ｚ２方向に延在しており、且つＺ１，Ｚ２方向に整列している。
【０１９９】
また、凸部２８−１−２−１ｂ及び２８−１−１−１４は、共にＺ１，Ｚ２方向に延在しており、且つＺ１，Ｚ２方向に整列している。
【０２００】
凸部２８−１−２−１ａ，２８−１−２−１ｂ及びリブ２８−１−１−１３，２８−１−１−１４が上記の位置関係にあるため、二色成形は、後述するようにスライドコアを用いずに、キャビティとコアとによる成形型を用いて実現可能となっている。これについては後述する。
【０２０１】
▲２▼  フロントケース本体２８−１を得る二色成形法
図３０（Ａ）乃至（Ｆ）は、二色成形法によって、フロントケース本体２８−１を得る工程を示す。
【０２０２】
同図（Ａ）に示すように、成形金型装置６０は、キャビティ金型６１とコア金型６２とを有する。
【０２０３】
キャビティ金型６１は、第１のキャビティ金型部６１−１と、第２のキャビティ金型部６１−２とを並んで有する。
【０２０４】
第１のキャビティ金型部６１−１は、フロントケース部材２８−１−１の外側面に対応する凹形状を有する。
【０２０５】
第２のキャビティ金型部６１−２は、フロントケース部材２８−１−１に帯部２８−１−２，２８−１−３を加えてなるフロントケース本体２８−１の外側面に対応する凹形状を有する。
【０２０６】
コア金型６２は、第１のコア金型部６２−１と第２のコア金型部６２−２とを並んで有する。
【０２０７】
第１，第２のコア金型部６２−１，６２−２は、フロントケース部材２８−１−１の内側面に対応する凸形状を有する。
【０２０８】
成形金型装置６０は、コア金型６２を上下動させる機構及びコア金型６２を軸線６３を中心に半回転させる機構（共に図示せず）を有する。
【０２０９】
まず、図３０（Ｂ）に示すように、コア金型６２をキャビティ金型６１に組合わせ、第１のキャビティ金型部６１−１内に、ＡＢＳ樹脂を注入する。これにより、第１の段階の成形が得られ、フロントケース部材２８−１−１が成形される。
【０２１０】
次いで、同図（Ｃ）に示すように、コア金型６２を降ろす。成形されたフロントケース部材２８−１−１は、第１のコア金型部６２−１から取り外さない。仮に取り外したとすると、成形されたフロントケース部材２８−１−１は、図３１に示す如くになる。
【０２１１】
成形されたフロントケース部材２８−１−１が第１のコア金型部６２−１に付いている状態で、コア金型６２を半回転させ、図３０（Ｄ）に示すように上動させ、再びキャビティ金型６１と組合わせる。
【０２１２】
第２のキャビティ金型部６１−２内には、フロントケース部材２８−１−１が付いている第２のコア金型部６２−１が収まる。
【０２１３】
今度は、同図（Ｅ）に示すように、第１のキャビティ金型部６１−１内に、樹脂を注入すると共に、第２のキャビティ金型部６１−２内にレオストマ（商品名）を注入する。
【０２１４】
これによって、第２のキャビティ金型部６１−２内では、第２の段階の成形が行われ、フロントケース部材２８−１−１の外側面に帯部２８−１−２，２８−１−３が成形され、フロントケース本体２８−１が成形される。
【０２１５】
第１のキャビティ金型部６１−１においては、同図（Ｂ）に示すと同様にして、フロントケース部材２８−１−１が成形される。
【０２１６】
最後に、同図（Ｆ）に示すように、コア金型６２を降ろし、二色成形法によって成形されたフロントケース本体２８−１を第１のコア金型部６２−１から取り外し、フロントケース本体２８−１を得る。
【０２１７】
この後、成形金型装置６０は、図３０（Ｃ）に示す状態となる。
【０２１８】
二色成形動作は、図３０（Ｃ）→（Ｄ）→（Ｅ）→（Ｆ）→（Ｃ）の順で繰り返し行われる。
【０２１９】
図３１中のリブ２８−１−１−１３，２８−１−１−１４は、第２の段階の成形のときにリブ状凸部２８−１−２−１ａ，２８−１−２−２ａを成形するための金型の凹部の上端を塞ぐ役割を有する。
【０２２０】
▲３▼  キーパッド２７
図２８に示すように、キーパッド２７は、複数のキーパッド部２７−１を整列して有する。各キーパッド部２４−１には、数字の他に、第２の機種の携帯電話機１２の機能に対応した文字及びマーク等が印されている。
【０２２１】
キーパッド２７は、図６中のキーコンタクト板４２の位置決め用孔４２−２，４２−３に対応する、位置決め用孔２７−２，２７−３を有する。
【０２２２】
キーパッド２４は、テンキーケース部２８−１−１−２の裏面に配される。
【０２２３】
VI〔液晶表示組立体４１−２〕
図６に示す液晶表示組立体４１−２は、図３２に示すように、独立した部品である液晶板４１−２−１と、二つのゴムコネクタ４１−２−２，４１−２−３と、底板部材４１−２−４と、枠部材４１−２−５とを、単純に積み重ねて組立てられた構造を有する。
【０２２４】
このため、液晶表示組立体４１−２は、従来の液晶表示モジュールに比べて安価である。
【０２２５】
枠部材４１−２−５は、プレス加工品であり、折り曲げ用片４１−２−５−１を複数有する。
【０２２６】
ゴムコネクタ４１−２−２（４１−２−３）は、ゴム製の角柱体４１−２−２ａに、多数の細いコネクタピン４１−２−２ｂが、Ｚ１，Ｚ２方向に貫通して埋め込まれている構成を有する。
【０２２７】
枠部材４１−２−５は、折り曲げ用片４１−２−５−１を折り曲げて底板部材４１−２−４と固定してある。
【０２２８】
ゴムコネクタ４１−２−２（４１−２−３）は、圧縮された状態にあり、液晶板４１−２−１と底板部材４１−２−４とが電気的に接続されている。
【０２２９】
また、液晶表示組立体４１−２は、バックライトを有していない。
【０２３０】
バックライトとしての発光ダイオード４１−４は、図６に示すようにフロント側プリント基板４１上に半田付けしてある。発光ダイオード４１−４は、自動実装されており、このための作業工数は少ない。
【０２３１】
VII〔組立てた携帯電話機１１（１２）における電話機本体組立体２２とリアケース組立体２３とフロントケース組立体２５（２８）との関係〕
携帯電話機１１（１２）は、図１に示すように、次の手順で組立てられる。
（１）電話機本体組立体２２をリアケース組立体２２内に収め、タップねじ５４，５５を締める。
【０２３２】
タップねじ５４は、図１７中の孔２３−１−１３，及び図１３中の孔４５−１−３を通って図９中のめくら孔４０−２０内にねじ込まれる。
【０２３３】
タップねじ５５は、孔２３−１−１４，及び４５−１−４を通って、めくら孔４０−２１内にねじ込まれる。
【０２３４】
これにより、電話機本体組立体２２がリアケース組立体２３に固定される。
（２）フロントケース組立体２５（２８）を、電話機本体組立体２２にかぶせて、リアケース組立体２２と組合わせ、タップねじ５０〜５３を締める。
【０２３５】
これにより、電話機本体組立体２２が、Ｘ1 端側の二個所と、Ｘ2 端寄りの二個所の計４か所で、リアケース組立体２３とフロントケース組立体２５（２８）と、共締めされる。
【０２３６】
次に、上記のように組立てられた携帯電話機１１（１２）の内部の構造について説明する。
【０２３７】
図３３は、図１中、XXXIII−XXXIII線を含む垂直面で切断した断面図、即ち、タップねじ５４によるねじ止め個所の断面図である。
【０２３８】
タップねじ５４は、リアケース部材２３−１のボス２３−１−７の孔２３−１−１４，シールド板部材４６の孔４６−１３，リア側プリント基板４５−１の孔４５−１−３を挿通して、シールドケース４０のボス４０−１６のめくら孔４０−２０内にねじ込まれている（図７，図９参照）。
【０２３９】
別のタップねじ５５も、同様にねじ込まれている。
【０２４０】
これによって、電話機本体組立体２２がリアケース部材２３−１に固定されている。
【０２４１】
図３４は、図１中、XXXIV−XXXIV線を含む垂直面で切断した断面図、即ち、タップねじ５０，５１によるねじ止め個所の断面図である。
【０２４２】
タップねじ５０は、リアケース部材２３−１のボス２３−１−３の孔２３−１−９，シールドケース４０のコーナ部分４０の孔４０−１２を挿通して、フロントケース部材２５−１（２８−１−１）のボス２５−１−１０（２８−１−１−６）のめくら孔内にねじ込まれている。
【０２４３】
タップねじ５１は、リアケース部材２３−１のボス２３−１−４の孔２３−１−１０，シールドケース４０のコーナ部分４１の孔４０−１３を挿通して、フロントケース部材２５−１（２８−１−１）のボス２５−１−１１（２８−１−１−７）のめくら孔内にねじ込まれている。
【０２４４】
シールドケース４０のコーナ部分４０，４１が、リアケース部材２３-1及びフロントケース部材２５−１（２８−１−１）と共締めしてある。
【０２４５】
タップねじ５１の近傍についてみると、リアケース部材２３−１の三つのリブ２３−１−２０〜２３−１−２２によって、シールド板部材４６の舌部４６−１６が、リア側プリント基板４５−１の下面のアースパターン部４５−１−９−６に押圧されリア側プリント基板４５−１の上面のアースパターン部分４５−１−７−１ｄがシールドケース４０の下方突出周囲塀部４０−３の下面のシールドパッキン部材４７に押圧されている。
【０２４６】
同じく、別のタップねじ５０の近傍についてみると、別の三つのリブ２３−１−２３〜２３−１−２５によって、シールド板部材４６の別の舌部４６−１５が、リア側プリント基板４５−１の下面のアースパターン部４５−１−９−５に押圧され、リア側プリント基板４５−１の上面のアースパターン部分４５−１−７−１ｃがシールドケース４０の下方突出周囲塀部４０−３の下面のシールドパッキン部材４７に押圧されている。
【０２４７】
これにより、リア側プリント基板４５−１及びシールド板部材４６はタップねじ５０，５１によって共締めはされていないけれども、リア側プリント基板４５−１のＸ１端側の部分は、シールドケース４０に十分に密着している。
【０２４８】
ここで、左右側に夫々三つのリブ２３−１−２０〜２３−１−２２，２３−１−２３〜２３−１−２５を有するため、リア側プリント基板４５−１は、狭い個所ではなく、ある程度の広い面積を有する部分を押し付けられる。即ち、リア側プリント基板４５−１のＸ１端側は、タップねじ５０，５１によって、リアケース部材２３−１及びフロントケース部材２５−１と共締めされている場合と、同等の密着度で、シールドケース４０に押し付けられている。
【０２４９】
図３５は、図１中、XXXV−XXXV線を含む垂直面で切断した断面図、即ち、タップねじ５２，５３によるねじ止め個所の断面図である。
【０２５０】
タップねじ５２は、リアケース部材２３−１のボス２３−１−５の孔２３−１−１１（図１７参照）、シールドケース板部材４６の耳部４６−４の孔４６−６（図７参照）、リア側プリント基板４５−１の孔４５−１−１，シールドケース４０の孔４０−１８，フロント側プリント基板４１−１の孔４１−１−５，シールド板部材４１−９の孔、ホルダ４４−１のボス４４−１−１の孔を挿通して、フロントケース部材２５−１（２８−１−１）のボス２５−１−１２（２８−１−１−８）のめくら孔内にねじ込まれている。
【０２５１】
別のタップねじ５３は、リアケース部材２３−１のボス２３−１−６の孔２３−１−１２（図１７参照）、シールド板部材４６の耳部４６−５の孔４６−７（図７参照）、リア側プリント基板４５−１の孔４５−１−２，シールドケース４０の孔４０−１９，フロント側プリント基板４１−１の孔４１−１−６，シールド板部材４１−９の孔、ホルダ４４−１のボス４４−１−２の孔を挿通して、フロントケース部材２５−１（２８−１−１）のボス２５−１−１３（２８−１−１−９）のめくら孔内にねじ込まれている。
【０２５２】
これにより、電話機本体組立体２２のＸ２方向端近傍は、タップねじ５２，５３によって、リアケース部材２３−１及びフロントケース部材２５−１（２８−１−１）と共締めされている。
【０２５３】
また、タップねじ５２，５３の頭部は、リアケース部材２３−１の凹部内に収まっており、且つ、この凹部に嵌合しているキャップ７０，７１によって覆われている。キャップ７０，７１は、固定用の爪部７０ａ，７１ａが上記凹部内の一部に嵌合して、脱落を防止された状態で取り付けてある。
【０２５４】
図３６は、図１中、XXXVI−XXXVI線を含む垂直面で切断した断面図である。
【０２５５】
リアケース部材２３−１のリブ２３−１−１６及び２３−１−１７が、シールド板部材４６の切欠４６−１２，４６−１１内に入り込んでリア側プリント基板４５−１を直接押している。
【０２５６】
これにより、リア側プリント基板４５−１は、リブ２３−１−１６，及び２３−１−１７によって押されている部位、即ち、Ｘ１，Ｘ２方向上の中央より多少Ｘ１方向に寄った位置であって、Ｙ１，Ｙ２端の部位を、シールドケース４０の下方突出周囲塀部４０−３の下面のシールドパッキン部材４７に押圧されている。
【０２５７】
図１７中のリブ２３−１−１８，２８−１−１９も上記のリブ２３−１−１６，２３−１−１７と同様に作用してリア側プリント基板４１−１のうちＸ２端側をシールドケース４０に押し付けている。
【０２５８】
このように、リア側プリント基板４５−１は、ねじ止めされている個所以外の複数の個所を、上記のリブ２３−１−１６等によってシールドケース４０に押し付けられているため、以下の特長を有する。
【０２５９】
▲１▼  リア側プリント基板４５−１のガタツキが確実に防止されている。
【０２６０】
▲２▼  電話機本体組立体２２の空間部４０−７−１，４０−７−２，４０−７−３は、良好なシールド特性を有する。
【０２６１】
図３７は、図１中、XXXVII−XXXVII線を含む垂直面で切断した断面図である。
【０２６２】
キーコンタクト４２，シールド板部材４３，及びキーパッド２４（２７）は、夫々、位置決め用孔４２−２，４３−２，２４−２（２７−２）が一の位置決め用突部４０−２６に嵌合且つ位置決め用孔４２−３，４３−３，２４−３（２７−３）が別の位置決め用突部４０−２７に嵌合して、シールドケース４０に対して位置規制されている。
【０２６３】
フロント側プリント基板４１は孔４１−１−１，４１−１−２とは別の個所でもってシールドケース４０に対して位置決めしてある。
【０２６４】
このため、たとえシールドケース４０がケース組立体２６（２９）内においてがたついた場合であっても、キーコンタクト４２と、フロント側プリント基板４１−１上のパターンと、キーパッド２４（２７）とがずれることが起きない。
【０２６５】
従って、携帯電話機１１，１２のテンキー部は高い信頼性を有する。
【０２６６】
VIII〔付記〕
本発明は、携帯電話機に限らず、携帯無線機にも適用しうる。
【０２６７】
【発明の効果】
以上説明したように、請求項１の発明によれば、携帯無線端末装置のフロントケース部材の側面にエラストマ質製の帯部を設けた構成であるため、従来のものに比べて、滑りにくく、よって、落としにくく出来る。また、フロントケース部材と帯部とは、二色成形によって成形してある構成であるため、帯部を独立した一の部品として製造して、これをフロントケース部材に貼り付けた場合に比べて、フロントケース本体の製造コストを安価と出来る。
【０２６８】
請求項２の発明によれば、エラストマ質製の帯部のうち、キーモジュールに対向する個所に開口を塞ぐ部分が、キーパッド部を形成する構成としてあるため、音量調整キースイッチ用のキーパッド部品を不要とし得、よって、その分、携帯無線端末装置の製造コストを安価とし得る。
【図面の簡単な説明】
【図１】第１，第２の機種の携帯電話機の構造を示す分解斜視図である。
【図２】第１の機種の携帯電話機を示す斜視図である。
【図３】第２の機種の携帯電話機を示す斜視図である。
【図４】電話機本体組立体の分解斜視図である。
【図５】図２中、Ｖ−Ｖ線に沿う電話機本体の組立体の断面図である。
【図６】図４中、シールドケースより上側の部分を示す図である。
【図７】図４中、シールドケースより下側の部分を示す図である。
【図８】シールドケースを表裏反転した状態で示す斜視図である。
【図９】シールドケースの底面図である。
【図１０】マイク用ブッシングを示す図である。
【図１１】ブザー用ブッシングを示す図である。
【図１２】スピーカ組立体がプリント基板に仮止めされている状態を示す図である。
【図１３】リア側プリント基板の上面のアースパターンを示す図である。
【図１４】リア側プリント基板の下面のアースパターンを示す図である。
【図１５】リア側プリント基板の二枚取りを説明するための図である。
【図１６】アンテナ接点用板ばね部材がリア側プリント基板に取り付けられている状態を示す図である。
【図１７】リアケース組立体の分解斜視図である。
【図１８】リアケース組立体の平面図である。
【図１９】図１７中、円〔１９〕で囲んだ部分を拡大して示す図である。
【図２０】図１７中、円〔２０〕で囲んだ部分を拡大して示す図である。
【図２１】アンテナ給電用板金部材とこれを取り付ける部分の構造を対応させて示す図である。
【図２２】アンテナ給電用板金部材が取り付け部に取り付けられた状態を示す図である。
【図２３】筒体がねじ込まれて取り付けられている状態を示す斜視図である。
【図２４】図２３に示す部分の平面図である。
【図２５】第１の機種の携帯電話機のフロントケース組立体の分解斜視図である。
【図２６】蓋の軸支構造部の分解斜視図である。
【図２７】操作ノブの誤作動防止を説明する図である。
【図２８】第２の機種の携帯電話機のフロントケース組立体の分解斜視図である。
【図２９】図２８中、円〔２９〕で囲んだ部分を、フロントケース本体２８−１の裏側からみた図である。
【図３０】二色成形法によってフロントケース本体２８−１を得る工程を説明する図である。
【図３１】第１の機種の成形によって成形されたフロントケース部材を、第１のコア金型部から取り外した状態で示す図である。
【図３２】液晶表示モジュールを分解して示す図である。
【図３３】図１中、XXXIII−XXXIII線を含む垂直面で切断して示す図である。
【図３４】図１中、XXXIV−XXXIV線を含む垂直面で切断して示す図である。
【図３５】図１中、XXXV−XXXV線を含む垂直面で切断して示す図である。
【図３６】図１中、XXXVI−XXXVI線を含む垂直面で切断して示す図である。
【図３７】図１中、XXXVII−XXXVII線を含む垂直面で切断して示す図である。
【符号の説明】
１１  第１の機種の携帯電話機
１２  第２の機種の携帯電話機
２０  スピーカ
２１  マイク
２２  電話機本体組立体（携帯無線端末装置本体組立体）
２３  リアケース組立体
２３−１  リアケース部材
２３−１−１  底板部
２３−１−２  周側壁部
２３−１−２ａ〜２３−１−２ｄ  側壁部
２３−１−３〜２３−１−８  ボス
２３−１−９〜２３−１−１４  貫通孔
２３−１−１５〜２３−１−２５  リブ
２３−１−２６  アンテナ給電用板部材取付け部
２３−１−２６−１  リブ
２３−１−２６−１ａ  切欠
２３−１−２６−２  リブ
２３−１−２６−２ａ  切欠
２３−１−２６−３  リブ
２３−１−２６−３ａ  Ｕ字状切欠
２３−１−２３−４  隙間
２３−１−２７  ボス
２３−１−２７ａ  周側面
２３−１−２７ｂ  端面
２３−１−２８  リブ
２３−１−２８ａ  切欠
２３−２  アンテナ装置
２３−２−１  ロッドアンテナ
２３−２−２  ヘリカルコイルアンテナ
２３−２−３  筒体
２３−２−３ａ  雄ねじ部
２３−２−４  アンテナ給電用板金部材
２３−２−４−１  本体部
２３−２−４−２  フランジ部
２３−２−４−３  バーリング加工部
２３−２−４−４  雌ねじ部
２３−２−５  アンテナパイプ
２４  キーパッド
２４−１  キーパッド部
２４−２，２４−３  位置決め用孔
２５  フロントケース組立体
２５−１  フロントケース部材
２５−１−１  天板部
２５−１−２  周側壁部
２５−１−３  送話器ケース部
２５−１−４  軸部材収容部軸支部
２５−１−４−１  切欠
２５−１−６  受話器ケース部
２５−１−７  テンキーケース部
２５−１−７−１  孔
２５−１−８  表示窓枠部
２５−１−９  小孔
２５−１−１０〜２５−１−１３  ボス
２５−１−１４  側壁部
２５−１−１５  突段部
２５−１−１６，２５−１−１７  スリット
２５−２  蓋部材
２５−２−１，２５−２−２  軸係合部
２５−３  液晶表示窓部材
２５−３−１，２５−３−２  爪部
２５−３−３  シルク印刷された部分
２５−３−４  ゲート跡
２５−３−５  両面テープ
２５−４，２５−５  操作ノブ
２５−６，２５−７  軸部材
２５−６−１  凸部
２５−６−２，２５−７−１  軸部
２５−６−２ａ，２５−７−１ａ  丸み部
２５−８  キャップ部材
２５−９  ばね部材
２６  ケース組立体
２７  キーパッド
２７−１  キーパッド部
２７−２，２７−３  位置決め用孔
２８  フロントケース組立体
２８−１  フロントケース本体
２８−１−１  フロントケース部材
２８−１−１−１  受話器ケース部
２８−１−１−２  テンキーケース部
２８−１−１−３  一の孔
２８−１−１−４，２８−１−１−５  鍔部
２８−１−１−６〜２８−１−１−９  ボス
２８−１−１−１０  側壁部
２８−１−１−１１，２８−１−１−１２  リブ
２８−１−２，２８−１−３  帯部
２８−１−２−１，２８−１−２−２  キーパッド部
２８−１−２−１ａ，２８−１−２−２ａ  リブ状凸部
２８−１−２−１ｂ，２８−１−２−２ｂ  凸部
２９  ケース組立体
３０  バッテリ
３１  共通部品群
３２，３３  専用部品群
４０  シールドケース
４０−１  平板部
４０−２  上方突出周囲塀部
４０−３  下方突出周囲塀部
４０−４，４０−５  下方突出桟状塀部
４０−６，４０−７  空間
４０−７−１〜４０−７−３  空間部
４０−８  下端面
４０−９  溝
４０−１０，４０−１１  コーナ部分
４０−１２，４０−１３  貫通孔
４０−１４〜４０−１７  ボス
４０−１８，４０−１９  貫通孔
４０−２０，４０−２１  めくら孔
４０−２２，４０−２３  リブ
４０−２４，４０−２５  深い溝
４０−２６，４０−２７  位置決め用突部
４１  フロント側プリント基板（ＣＵ基板）組立体
４１−１  フロント側プリント基板
４１−１−１，４１−１−２  逃げ孔
４１−１−３，４１−１−４  Ｕ字状切欠
４１−１−５，４１−１−６  孔
４１−２  液晶表示窓組立体
４１−２−１  液晶板
４１−２−２，４１−２−３  ゴムコネクタ
４１−２−２ａ  角柱体
４１−２−２ｂ  コネクタピン
４１−２−４  底板部材
４１−３  電子部品
４１−４，４１−５  発光ダイオード
４１−６，４１−７  コネクタ
４１−８  ブザー
４１−９  シールド板部材
４１−１０  音量可変キーモジュール
４１−１１，４１−１２  ブッシング
４１−１１−１，４１−１２−１  溝
４２  キーコンタクト
４２−１  キーコンタクト部
４２−２，４２−３  位置決め用孔
４３  シールド板部材
４３−１  開口
４３−２，４３−３  位置決め用孔
４３−４  差し込み鍔部
４４  スピーカ組立体
４４−１  ホルダ
４４−１−１，４４−１−２  ボス
４４−１−３，４４−１−４  取付用爪部
４４−１−５  側面
４４−２  ガスケット
４５  リア側プリント基板（ＴＵ基板）組立体
４５−１  リア側プリント基板
４５−２  電子部品
４５−３〜４５−６  コネクタ
４５−７  アンテナ接点用板ばね部材
４５−１−１，４５−１−２  孔
４５−１−３，４５−１−４  孔
４５−１−５  切欠
４５−１−６  上面
４５−１−７  アースパターン
４５−１−７−１  アースパターン部
４５−１−７−１ａ〜４５−１−７−１ｄ  アースパターン部分
４５−１−７−２，４５−１−７−３  アースパターン部
４５−１−８  下面
４５−１−９  アースパターン
４５−１−９−１〜４５−１−９−６  アースパターン部
４５−１−１０，４５−１−１１  側端縁
４５−２  電子部品
４５−３〜４５−６  コネクタ
４５−７  アンテナ接点用板ばね部材
４５−７−１  Ｕ字状板ばね部
４５−７−２，４５−７−３  つい立て部
４５−８  プリント大基板
４５−８−１  スリット
４５−８−２〜４５−８−６  Ｖカット溝
４５−８−７，４５−８−８  リア側プリント基板予定部分
４６  シールド板部材
４６−１  蓋部
４６−２  蓋部
４６−３  つなぎ部
４６−４，４６−５  耳部
４６−６，４６−７  孔
４６−８  差し込み用鍔部
４６−９，４６−１０  突部
４６−１１，４６−１２  孔
４６−１５，４６−１６  舌部
４７  シールドパッキン部材
４８−１，４８−２  同軸ケーブル
５０〜５５  タップねじ
５８  物
６０  成形金型装置
６１  キャビティ金型
６１−１  第１のキャビティ金型
６１−２  第２のキャビティ金型
６２  コア金型
６２−１  第１のコア金型
６２−２  第２のコア金型
６３  軸線
７０，７１  キャップ
７０ａ，７１ａ  爪部
【図１】
0003723548.tif 000002
【図２】
0003723548.tif 000003
【図３】
0003723548.tif 000004
【図４】
0003723548.tif 000005
【図５】
0003723548.tif 000006
【図６】
0003723548.tif 000007
【図７】
0003723548.tif 000008
【図８】
0003723548.tif 000009
【図９】
0003723548.tif 000010
【図１０】
0003723548.tif 000011
【図１１】
0003723548.tif 000012
【図１２】
0003723548.tif 000013
【図１３】
0003723548.tif 000014
【図１４】
0003723548.tif 000015
【図１５】
0003723548.tif 000016
【図１６】
0003723548.tif 000017
【図１７】
0003723548.tif 000018
【図１８】
0003723548.tif 000019
【図１９】
0003723548.tif 000020
【図２０】
0003723548.tif 000021
【図２１】
0003723548.tif 000022
【図２２】
0003723548.tif 000023
【図２３】
0003723548.tif 000024
【図２４】
0003723548.tif 000025
【図２５】
0003723548.tif 000026
【図２６】
0003723548.tif 000027
【図２７】
0003723548.tif 000028
【図２８】
0003723548.tif 000029
【図２９】
0003723548.tif 000030
【図３０】
0003723548.tif 000031
【図３１】
0003723548.tif 000032
【図３２】
0003723548.tif 000033
【図３３】
0003723548.tif 000034
【図３４】
0003723548.tif 000035
【図３５】
0003723548.tif 000036
【図３６】
0003723548.tif 000037
【図３７】
0003723548.tif 000038